Podtech/llm-jp-corpus-v4-ja_patent huggingface dataset:
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
パルス変調した出力回路を駆動する電子回路であって、前記電子回路のノードは、  前記パルス変調した出力回路に対して一連のパルスを発生させるパルス変調回路と、  点灯遅延値であって、前記点灯遅延値は、前記パルス変調回路によって発生した前記パルスが不完全であるために失われたエネルギー量に相当する、点灯遅延値と、  パルスアキュムレータであって、前記パルス変調回路によってパルスが発生するたびに前記点灯遅延値が前記パルスアキュムレータに追加される、パルスアキュムレータと、  補償回路であって、前記補償回路は、前記パルスアキュムレータがオンタイムのユニットに相当するエネルギー量を蓄積したときに前記パルス変調回路に対して前記オンタイムのユニットを追加する、補償回路と  を含む、電子回路。
【請求項２】
前記パルス変調した出力回路は、発光ダイオードを含む、請求項１に記載の電子回路。
【請求項３】
前記パルスは、一定の直流電流のパルスを含む、請求項２に記載の電子回路。
【請求項４】
前記補償回路は、前記パルスアキュムレータが容量過多になると、オンタイムのユニットを追加する容量過多回路を含む、請求項１に記載の電子回路。
【請求項５】
パルスが不完全なために失われた前記エネルギー量は、立ち下がり時間によって得られたエネルギー量が立ち上がり時間から引かれたために失われたエネルギー量を含む、請求項１に記載の電子回路。
【請求項６】
前記パルス変調回路は、フリッカー軽減変調回路を含む、請求項１に記載の電子回路。
【請求項７】
前記パルス変調回路は、幅が変化するパルスを出力する、請求項１に記載の電子回路。
【請求項８】
前記パルス変調回路によって発生した前記一連のパルスは、スクランブルされる、請求項１に記載の電子回路。
【請求項９】
パルス変調した出力回路を駆動する方法であって、前記方法は、  パルス変調回路からの一連のパルスを前記パルス変調した出力回路に出力する工程であって、前記一連のパルスは、指定された時間にわたって所望のオンタイムを実質的に総計し、前記各パルスは、点灯遅延を有して前記各パルスでわずかなエネルギー損失をもたらす、工程と、  前記パルス変調回路によって出力された前記パルスをカウントする工程と、  前記点灯遅延が前記オンタイムのユニットに対応しているために失われたエネルギー量を前記パルスのカウントが蓄積するときに、前記パルス変調回路に対してオンタイムのユニットを追加する工程とを含む、パルス変調した出力回路を駆動する方法。
【請求項１０】
前記パルス変調した出力回路に出力された前記パルスをカウントすることは、点灯遅延値をアキュムレータに追加することを含む、請求項９に記載のパルス変調した出力回路を駆動する方法。
【請求項１１】
オンタイムのユニットの追加は、前記アキュムレータが容量過多になったときに起こる、請求項１０に記載のパルス変調した出力回路を駆動する方法。
【請求項１２】
前記パルス変調した出力回路は、発光ダイオードを含む、請求項９に記載のパルス変調した出力回路を駆動する方法。
【請求項１３】
前記パルスは、一定の電流パルスを含む、請求項１２に記載のパルス変調した出力回路を駆動する方法。
【請求項１４】
前記わずかなエネルギー損失は、立ち上がり時間によって失われたエネルギー量と立ち下がり時間によって得られたエネルギー量の差を含む、請求項９に記載のパルス変調した出力回路を駆動する方法。
【請求項１５】
前記指定された時間にわたって出力された前記一連のパルスは、幅が変化するパルスを含む、請求項９に記載のパルス変調した出力回路を駆動する方法。
【請求項１６】
前記指定された時間にわたって出力された前記一連のパルスは、スクランブルされる、請求項９に記載のパルス変調した出力回路を駆動する方法。
【請求項１７】
前記パルス変調回路は、フリッカー軽減変調回路を含む、請求項９に記載のパルス変調した出力回路を駆動する方法。
【手続補正２】
【補正対象書類名】明細書
【補正対象項目名】発明の名称
【補正方法】変更
【補正の内容】
【発明の名称】パルス変調した出力回路を駆動する電子回路、及びその駆動方法
【手続補正３】
【補正対象書類名】明細書
【補正対象項目名】０１５９
【補正方法】変更
【補正の内容】
【０１５９】  この作用を補償するため、ＬＥＤドライバ回路７８０のデジタル回路は、発生する定電流パルス数をカウントし、複数の定電流パルスを指定したのちに余分な定電流パルスのタイムユニットを追加する。例えば、単一タイムユニットの実際の定電流パルスが単一タイムユニットの理想のスクウェア定電流よりも５％少ないエネルギーを出力した場合、発生する２０パルスごとに余分な定電流のタイムユニットを追加する。２０×５％＝１００％、つまりタイムユニット全体のパルスが失われるからである。一実施形態では、調整可能なＬＥＤ点灯遅延の値（点灯遅延値）が、各パルスで失われたエネルギー量を表す値を格納する。ＬＥＤ点灯遅延の値は、それぞれの定電流パルスの後に関連するＬＥＤのアキュムレータに追加される。アキュムレータが容量過多になると、ＬＥＤが「オン」の時間に余分のタイムユニットが追加されてこの流失するエネルギーを補完する。
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
第１のＳＲＡＭおよび第２のＳＲＡＭを含む複数のＳＲＡＭと、
前記第１のＳＲＡＭのソース側の第１の回路部分と前記第２のＳＲＡＭのソース側の第２の回路部分とを電気的に接続した状態と非接続にした状態とを切り替え可能にする切替え手段と、
を具備し、
前記切替え手段は、前記第１のＳＲＡＭへのアクセス終了後、前記第２のＳＲＡＭへのアクセス開始前に、前記第１の回路部分および前記第２の回路部分がそれぞれグランドから電気的に切り離されているときに、前記第１の回路部分と前記第２の回路部分とを電気的に接続する、
集積回路。
【請求項２】
前記切替え手段は、前記第２の回路部分のみならず別のＳＲＡＭのソース側の回路部分とも、前記第１の回路部分との間で電気的に接続した状態と非接続にした状態とを切り替え可能にする、
請求項１に記載の集積回路。
【請求項３】
前記切替え手段は、前記第１のＳＲＡＭおよび前記第２のＳＲＡＭのそれぞれの非アクセス期間中に、前記第１の回路部分と前記第２の回路部分とを電気的に接続する、
請求項１又は２に記載の集積回路。
【請求項４】
前記切替え手段は、前記第１の回路部分がグランドから電気的に切り離された後、前記第２の回路部分がグランドに電気的に接続される前に、前記第１の回路部分と前記第２の回路部分とを電気的に接続する、
請求項１乃至３のいずれか１項に記載の集積回路。
【請求項５】
前記第１のＳＲＡＭと前記第２のＳＲＡＭのそれぞれに供給されるイネーブル信号を用いて、前記切替え手段を操作する信号を生成する論理回路を更に具備する、
請求項１乃至４のいずれか１項に記載の集積回路。
【請求項６】
前記第１のＳＲＡＭと前記第２のＳＲＡＭのそれぞれに供給されるアドレス信号を用いて前記切替え手段を操作する信号を生成する論理回路を更に具備する、
請求項１乃至４のいずれか１項に記載の集積回路。
【請求項７】
複数のアレイを有する第１のＳＲＡＭおよび複数のアレイを有する第２のＳＲＡＭを含む複数のＳＲＡＭと、
アレイごとに、前記第１のＳＲＡＭのソース側の第１の回路部分と前記第２のＳＲＡＭのソース側の第２の回路部分とを電気的に接続した状態と非接続にした状態とを切り替え可能にする切替え手段と、
を具備し、
前記切替え手段は、前記第１のＳＲＡＭへのアクセス終了後、前記第２のＳＲＡＭへのアクセス開始前に、前記第１の回路部分および前記第２の回路部分がそれぞれグランドから電気的に切り離されているときに、前記第１の回路部分と前記第２の回路部分とを電気的に接続する、
集積回路。
【請求項８】
各アレイに対するアレイ選択信号を用いて、前記切替え手段を操作する信号を生成する論理回路を更に具備する、
請求項７に記載の集積回路。
【請求項９】
アレイごとに、前記第１のＳＲＡＭと前記第２のＳＲＡＭのそれぞれに供給されるアドレス信号を用いて前記切替え手段を操作する信号を生成する論理回路を更に具備する、
請求項７に記載の集積回路。
【手続補正２】
【補正対象書類名】明細書
【補正対象項目名】０００６
【補正方法】変更
【補正の内容】
【０００６】
実施形態の集積回路は、第１のＳＲＡＭおよび第２のＳＲＡＭを含む複数のＳＲＡＭと、前記第１のＳＲＡＭのソース側の第１の回路部分と前記第２のＳＲＡＭのソース側の第２の回路部分とを電気的に接続した状態と非接続にした状態とを切り替え可能にする切替え手段と、を具備する。前記切替え手段は、前記第１のＳＲＡＭへのアクセス終了後、前記第２のＳＲＡＭへのアクセス開始前に、前記第１の回路部分および前記第２の回路部分がそれぞれグランドから電気的に切り離されているときに、前記第１の回路部分と前記第２の回路部分とを電気的に接続する。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
ロボットのモーションを選択する動作制御部と、
前記動作制御部により選択されたモーションを実行する駆動機構と、
所定の条件を満たす地点を移動先地点として検出する移動先地点検出部と、
移動先地点の優先度を認識する優先度認識部とを備え、
前記動作制御部は、所定のイベントが発生したとき、複数の移動先地点のうちから前記優先度が高い移動先地点に前記ロボットを移動させることを特徴とする自律行動型ロボット。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
海外からの商品購入を支援するための方法であって、
ユーザー端末から、ＥＣサイトの商品を海外から購入することを支援するためのモジュ ールの要求を受信するステップと、
前記ユーザー端末のアクセス元の所在国を判別して、前記モジュールの読み込みの可否 を判定するステップと、
前記判定の結果が可である場合に、前記モジュールを前記ユーザー端末に送信するステップと
を含み、
前記モジュールは、前記商品ページの一部がクリック又はタップされたことに伴い、前記商品についての商品ページとともに、前記商品を海外から購入するための表示を前記ユーザー端末のウェブブラウザに表示させるものであることを特徴とする。
【請求項２】
請求項１に記載の方法であって、
前記商品ページの前記一部は、前記商品ページに表示される商品を購入対象として選択するためのボタンであることを特徴とする。
【請求項３】
請求項２に記載の方法であって、
前記モジュールは、前記商品ページを表示するための商品ページ表示情報に記述された前記ボタンに対応するｏｎｃｌｉｃｋ属性の値を書き換えるものであることを特徴とする。
【請求項４】
請求項１から３のいずれかに記載の方法であって、
前記モジュールは、前記ＥＣサイトにおける不正決済防止の要否の判定結果が要である場合に前記ユーザー端末に送信されることを特徴とする。
【請求項５】
コンピュータに、海外からの商品購入を支援するための方法を実行させるためのプログラムであって、前記方法は、
ユーザー端末から、ＥＣサイトの商品を海外から購入することを支援するためのモジュ ールの要求を受信するステップと、
前記ユーザー端末のアクセス元の所在国を判別して、前記モジュールの読み込みの可否 を判定するステップと、
前記判定の結果が可である場合に、前記モジュールを前記ユーザー端末に送信するステップと
を含み、
前記モジュールは、前記商品ページの一部がクリック又はタップされたことに伴い、前記商品についての商品ページとともに、前記商品を海外から購入するための表示を前記ユーザー端末のウェブブラウザに表示させるものであることを特徴とする。
【請求項６】
海外からの商品購入を支援するための装置であって、
ユーザー端末から、ＥＣサイトの商品を海外から購入することを支援するためのモジュ ールの要求を受信し、
前記ユーザー端末のアクセス元の所在国を判別して、前記モジュールの読み込みの可否 を判定し、
前記判定の結果が可である場合に、前記モジュールを前記ユーザー端末に送信し、
前記モジュールは、前記商品ページの一部がクリック又はタップされたことに伴い、前記商品についての商品ページとともに、前記商品を海外から購入するための表示を前記ユーザー端末のウェブブラウザに表示させるものであることを特徴とする。
【請求項７】
ＥＣの海外への提供を支援するための方法であって、
ユーザー端末が、ＥＣサイトで販売される商品についての商品ページをウェブブラウザ に表示するステップと、
前記ユーザー端末が、ＥＣサイトの商品を海外から購入することを支援するためのモジュ ールを受信するステップと、
前記ユーザー端末が、前記モジュールを読み込んで、前記商品ページの一部がクリック又はタップされたことに伴い、前記商品ページとともに、前記商品を海外から購入するための表示を前記ユーザー端末のウェブブラウザに表示するステップと
を含むことを特徴とする。
【手続補正書】
【提出日】令和2年9月18日(2020.9.18)
【手続補正１】
【補正対象書類名】明細書
【補正対象項目名】発明の名称
【補正方法】変更
【補正の内容】
【発明の名称】プログラム及び情報処理装置
【手続補正２】
【補正対象書類名】明細書
【補正対象項目名】０００１
【補正方法】変更
【補正の内容】
【０００１】
本発明は、プログラム及び情報処理装置に関する。
【手続補正３】
【補正対象書類名】明細書
【補正対象項目名】０００６
【補正方法】変更
【補正の内容】
【０００６】
本発明は、高い連携度を実現するプログラム及び情報処理装置を提供することを目的とする。
【手続補正４】
【補正対象書類名】明細書
【補正対象項目名】０００７
【補正方法】変更
【補正の内容】
【０００７】
本発明に係るプログラムは、情報処理装置のコンピュータを、仮想の電子機器を第一ディスプレイに表示させる際に、当該第一ディスプレイに、前記仮想の電子機器の仮想のメモリが記憶している内容を各表示対象とする第一の表示領域及び第二の表示領域を設定する設定手段、として機能させ、前記第一の表示領域は、前記仮想の電子機器の仮想のディスプレイとして設定され、前記第二の表示領域は、前記表示対象の内容のうち前記第一の表示領域が一画面内に表示可能な最大量よりも多くの内容を、一画面内に表示可能に設定される、ことを特徴とする。
本発明に係る情報処理装置は、仮想の電子機器を第一ディスプレイに表示させる際に、当該第一ディスプレイに、前記仮想の電子機器の仮想のメモリが記憶している内容を各表示対象とする第一の表示領域及び第二の表示領域を設定する設定手段を備え、前記設定手段は、前記第一の表示領域を、前記仮想の電子機器の仮想のディスプレイとして設定し、前記第二の表示領域を、前記表示対象の内容のうち前記第一の表示領域が一画面内に表示可能な最大量よりも多くの内容を、一画面内に表示可能に設定する、ことを特徴とする。
【手続補正５】
【補正対象書類名】明細書
【補正対象項目名】０００８
【補正方法】変更
【補正の内容】
【０００８】
本発明によれば、高い連携度を実現するプログラム及び情報処理装置を提供できる。
【手続補正６】
【補正対象書類名】特許請求の範囲
【補正対象項目名】全文
【補正方法】変更
【補正の内容】
【特許請求の範囲】
【請求項１】
情報処理装置のコンピュータを、
仮想の電子機器を第一ディスプレイに表示させる際に、当該第一ディスプレイに、前記仮想の電子機器の仮想のメモリが記憶している内容を各表示対象とする第一の表示領域及び第二の表示領域を設定する設定手段、
として機能させ、
前記第一の表示領域は、前記仮想の電子機器の仮想のディスプレイとして設定され、
前記第二の表示領域は、前記表示対象の内容のうち前記第一の表示領域が一画面内に表示可能な最大量よりも多くの内容を、一画面内に表示可能に設定される、
ことを特徴とするプログラム。
【請求項２】
前記第二の表示領域は、
前記仮想の電子機器に対応する実機が備える第二ディスプレイに表示される内容と同じ内容を少なくとも表示するように設定されるとともに、前記第一の表示領域に一時に表示可能な最大量の内容よりも多くの内容を、一時に表示可能に設定される、
ことを特徴とする請求項１に記載のプログラム。
【請求項３】
前記第一の表示領域は、前記表示対象の内容のうち最大でｎ行に対応する内容を一時に表示可能に設定され、
前記第二の表示領域は、前記表示対象の内容のうちｎ行を超える行数に対応する内容を一時に表示可能に設定され、
ことを特徴とする請求項１又は２に記載のプログラム。
【請求項４】
前記表示対象の内容の少なくとも一部である第一の内容を前記第一の表示領域へ表示したときに前記第一ディスプレイに前記第二の表示領域が表示されている場合、前記第一の内容が少なくとも含まれる第二の内容を当該第二の表示領域に表示するように設定されている、
ことを特徴とする請求項１から３の何れかに記載のプログラム。
【請求項５】
前記情報処理装置のコンピュータを、
前記第一の表示領域又は前記第二の表示領域のいずれか一方の表示領域に対するスクロール操作を受け付けたことに応じて、当該一方の表示領域の表示内容をスクロールさせるとともに、前記第一の表示領域又は前記第二の表示領域のいずれか他方の表示領域の表示内容をスクロールさせる制御手段、
としてさらに機能させる、
ことを特徴とする請求項１から４の何れかに記載のプログラム。
【請求項６】
仮想の電子機器を第一ディスプレイに表示させる際に、当該第一ディスプレイに、前記仮想の電子機器の仮想のメモリが記憶している内容を各表示対象とする第一の表示領域及び第二の表示領域を設定する設定手段を備え、
前記設定手段は、前記第一の表示領域を、前記仮想の電子機器の仮想のディスプレイとして設定し、前記第二の表示領域を、前記表示対象の内容のうち前記第一の表示領域が一画面内に表示可能な最大量よりも多くの内容を、一画面内に表示可能に設定する、
ことを特徴とする情報処理装置。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
一組となる文書の画像データを取得する取得手段と、
一組となる文書の組み合わせ情報と、前記取得手段により取得した画像データとに基づき、前記文書で欠落していることをチェックするチェック手段と、
前記チェック手段によるチェック結果に基づき、欠落している文書を優先して確認させるように出力順を決定し、結果を出力する出力手段と
を備えることを特徴とする情報処理システム。
【請求項２】
文書のチェックの結果を出力する情報処理システムであって、
複数の文書の画像データを取得する取得手段と、
前記文書の認識条件と、前記取得手段により取得した画像データとに基づき、文書の内容をチェックするチェック手段と、
前記チェック手段によるチェックの結果に基づく不備の数により、前記文書の出力順を決定し、結果を出力する出力手段と
を備えることを特徴とする情報処理システム。
【請求項３】
前記出力順とは、前記チェック手段によるチェック結果に基づく不備の数が多い文書を優先して出力する順番であることを特徴とする請求項１または２に記載の情報処理システム。
【請求項４】
情報処理システムが、
一組となる文書の画像データを取得する取得ステップと、
一組となる文書の組み合わせ情報と、前記取得ステップにより取得した画像データとに基づき、前記文書で欠落していることをチェックするチェックステップと、
前記チェックステップによるチェック結果に基づき、欠落している文書を優先して確認させるように出力順を決定し、結果を出力する出力ステップと
を実行することを特徴とする処理方法。
【請求項５】
文書のチェックの結果を出力する情報処理システムにおける処理方法であって、
前記情報処理システムが、
複数の文書の画像データを取得する取得ステップと、
前記文書の認識条件と、前記取得ステップにより取得した画像データとに基づき、文書の内容をチェックするチェックステップと、
前記チェックステップによるチェックの結果に基づく不備の数により、前記文書の出力順を決定し、結果を出力する出力ステップと
を実行することを特徴とする処理方法。
【請求項６】
情報処理システムを、
一組となる文書の画像データを取得する取得手段と、
一組となる文書の組み合わせ情報と、前記取得手段により取得した画像データとに基づき、前記文書で欠落していることをチェックするチェック手段と、
前記チェック手段によるチェック結果に基づき、欠落している文書を優先して確認させるように出力順を決定し、結果を出力する出力手段と
して機能させるためのプログラム。
【請求項７】
文書のチェックの結果を出力する情報処理システムで実行可能なプログラムであって、
前記情報処理システムを、
複数の文書の画像データを取得する取得手段と、
前記文書の認識条件と、前記取得手段により取得した画像データとに基づき、文書の内容をチェックするチェック手段と、
前記チェック手段によるチェックの結果に基づく不備の数により、前記文書の出力順を決定し、結果を出力する出力手段と
して機能させるためのプログラム。
【手続補正２】
【補正対象書類名】明細書
【補正対象項目名】００１２
【補正方法】変更
【補正の内容】
【００１２】
一組となる文書の画像データを取得する取得手段と、一組となる文書の組み合わせ情報と、前記取得手段により取得した画像データとに基づき、前記文書で欠落していることをチェックするチェック手段と、前記チェック手段によるチェック結果に基づき、欠落している文書を優先して確認させるように出力順を決定し、結果を出力する出力手段とを備えることを特徴とする。
【手続補正書】
【提出日】令和2年7月14日(2020.7.14)
【手続補正１】
【補正対象書類名】明細書
【補正対象項目名】００３６
【補正方法】変更
【補正の内容】
【００３６】
第１スイッチ３０及び第２スイッチ４０夫々について、ソースの電位を基準としたゲートの電圧値が一定のオン閾値以上である場合、電流がドレイン及びソースを介して流れることが可能である。このとき、第１スイッチ３０及び第２スイッチ４０夫々はオンである。また、ソースの電位を基準としたゲートの電圧が一定のオフ閾値未満である場合、電流がドレイン及びソースを介して流れることはない。このとき、第１スイッチ３０及び第２スイッチ４０夫々はオフである。第１スイッチ３０及び第２スイッチ４０夫々について、オン閾値は、オフ閾値を超えている。
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
第１の電極、第２の電極、及び、第１のゲート電極を有するトランジスタと、
前記トランジスタの第１のパラメータの経時変化を検知し、第１の経時変化データを取得する第１の検知部と、
前記第１の経時変化データを記憶する第１の記憶部と、
を備える半導体装置。
【請求項２】
前記第１の経時変化データを前記第１の記憶部で記憶する前に、前記第１の経時変化データをデジタルデータに変換するアナログデジタル変換部を、更に備える請求項１記載の半導体装置。
【請求項３】
前記第１の記憶部に記憶された前記第１の経時変化データを外部から読み出すためのインターフェース部を、更に備える請求項１又は請求項２記載の半導体装置。
【請求項４】
前記第１のパラメータは、前記第１のゲート電極に印加される第１のゲート電圧である請求項１ないし請求項３いずれか一項記載の半導体装置。
【請求項５】
前記第１のゲート電極に印加される前記第１のゲート電圧を制御するゲート駆動回路と、
前記ゲート駆動回路と前記第１のゲート電極との間に設けられたゲート抵抗と、を更に備え、
前記第１の検知部は、前記ゲート抵抗と前記第１のゲート電極の間の前記第１のゲート電圧の経時変化を検知する請求項４記載の半導体装置。
【請求項６】
前記トランジスタの第２のパラメータの経時変化を検知し、第２の経時変化データを取得する第２の検知部と、
前記第２の経時変化データを記憶する第２の記憶部と、を更に備え、
前記第２のパラメータは、前記トランジスタに流れる電流である請求項４記載の半導体装置。
【請求項７】
前記第１のパラメータの標準経時変化データを記憶する標準データ記憶部と、
前記標準経時変化データと前記第１の経時変化データを比較する比較部と、
前記比較部における比較結果に基づき、前記トランジスタの動作を停止する保護部と、
を更に備える請求項１ないし請求項６いずれか一項記載の半導体装置。
【請求項８】
ゲートタイミング制御回路を、更に備え、
前記トランジスタが第２のゲート電圧が印加される第２のゲート電極を有し、
前記ゲートタイミング制御回路は、前記第１の記憶部に記憶された前記第１の経時変化データに基づき、前記第１のゲート電圧の印加タイミングと前記第２のゲート電圧の印加タイミングを制御する請求項４又は請求項５記載の半導体装置。
【請求項９】
請求項１ないし請求項８いずれか一項記載の半導体装置を備える電力変換装置。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
フラッシュメモリセルの結合ゲートとともに使用するためのデコーダ回路であって、
前記フラッシュメモリセルが読み出し動作に選択されたときに、前記結合ゲートにバイアス電圧を提供するための第１回路と、
前記フラッシュメモリセルがプログラム動作に選択されたときに、前記結合ゲートに正電圧を提供するための第２回路と、
前記フラッシュメモリセルが消去動作に選択されたときに、前記結合ゲートに電圧を提供するための第３回路と、
前記フラッシュメモリセルが非選択であるときに、前記結合ゲートに抑制電圧を提供するための第４回路と、を備える、デコーダ回路。
【請求項２】
前記デコーダ回路が、カスコードトランジスタを含まない、請求項１に記載の回路。
【請求項３】
前記第３回路が、負電圧を前記結合ゲートに提供する、請求項１に記載の回路。
【請求項４】
フラッシュメモリセルとともに使用するためのデコーダ回路であって、
前記フラッシュメモリセルの消去ゲートとともに使用するための消去ゲートデコーダ回路と、
前記フラッシュメモリセルのソース線とともに使用するためのソース線デコーダ回路と、
前記フラッシュメモリセルの結合ゲートとともに使用するための結合ゲートデコーダ回路であって、
前記フラッシュメモリセルが読み出し動作に選択されたときに、前記結合ゲートにバイアス電圧を提供するための第１回路と、
前記フラッシュメモリセルがプログラム動作に選択されたときに、前記結合ゲートに正電圧を提供するための第２回路と、
前記フラッシュメモリセルが消去動作に選択されたときに、前記結合ゲートに電圧を提供するための第３回路と、
前記フラッシュメモリセルが非選択であるときに、前記結合ゲートに抑制電圧を提供するための第４回路と、を備える、結合ゲートデコーダ回路と、を備える、デコーダ回路。
【請求項５】
前記結合ゲートデコーダ回路が、カスコードトランジスタを含まない、請求項４に記載の回路。
【請求項６】
前記第３回路が、負電圧を前記結合ゲートに提供する、請求項４に記載の回路。
【請求項７】
第１組のメモリセル及び第２組のメモリセルを備えるフラッシュメモリデバイスを動作させる方法であって、
前記第１組のメモリセルを消去することであって、
第１負電圧を前記第１組のメモリセルの各結合ゲートに印加することと、
非負電圧を前記第１組のメモリセルの各ワード線及びビット線に印加することと、
第１正電圧を前記第１組のメモリセルの各消去ゲートに印加することと、を含む、消去することと、
第２正電圧を前記第２組のメモリセルの各結合ゲートに印加することによって、前記第２組のメモリセルの前記消去を抑制することと、を含む、方法。
【請求項８】
第２正電圧を印加する前記工程が、第１負電圧を印加する前記工程と同時に、又はほぼ同時に、かつ第１正電圧を印加する前記工程の前に起こる、請求項７に記載の方法。
【請求項９】
入力を受信し、出力を発生させるための負高電圧レベルシフタであって、
第１ＰＭＯＳトランジスタと、第２ＰＭＯＳトランジスタと、第１ＮＭＯＳトランジスタと、第２ＮＭＯＳトランジスタと、を備えるカスコード回路を備え、前記第１ＮＭＯＳトランジスタがディープＮ型ウェルを備え、前記第２ＮＭＯＳトランジスタがディープＮ型ウェルを備え、
前記第１ＮＭＯＳトランジスタの端子が、前記第２ＮＭＯＳトランジスタの端子に結合され、前記入力に応答する前記出力として、高負電圧を発生させる、負高電圧レベルシフタ。
【請求項１０】
前記出力が高負電圧を発生させたときに、前記ディープＮ型ウェルが０電圧に駆動される、請求項９に記載の負高電圧レベルシフタ。
【請求項１１】
負中電圧レベルシフタ回路を更に備える、請求項９に記載の負高電圧レベルシフタ。
【請求項１２】
前記負高電圧レベルシフタの出力が負電圧を発生させたときに、Ｖｄｄ高電圧源が接地に切り換わる、請求項９に記載の負高電圧レベルシフタ。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
遊技として、指示機能が作動せず、非有利区間の通常遊技と、少なくとも１回以上は指示機能が作動可能で、該通常遊技より有利な有利区間の有利遊技があり、該有利遊技を最大数に至るまで連続して実行可能な遊技機において、外周面に複数種類の図柄が配置された複数の回胴と、
遊技において役を内部抽選する役抽選手段と、
遊技において複数の回胴を回転させ、各々の回胴に対応して設けられた停止スイッチの操作を受け付けて、対応する回胴を個々に停止させ、前記内部抽選の結果に応じて図柄を表示する制御を行う制御手段と、
を具備し、
前記有利遊技には、少なくとも特別遊技と有利区間の通常中遊技があり、該有利区間の通常中遊技では該特別遊技に当選する確率が前記通常遊技よりも高くなっており、
前記有利遊技には、高確率遊技があり、該高確率遊技では前記特別遊技に当選する確率が前記有利区間の通常中遊技よりも高くなっており、
前記制御手段は、前記報知遊技を終了して、前記通常遊技又は前記有利区間の通常中遊技へ移行させる場合、前記最大数に至るまでの残り有利遊技数を参照して、移行遊技先を決定すること、
を特徴とする遊技機。
【手続補正２】
【補正対象書類名】明細書
【補正対象項目名】００１４
【補正方法】変更
【補正の内容】
【００１４】
請求項１に係る本発明の遊技機は、上記の目的を達成する為に、遊技として、指示機能が作動せず、非有利区間の通常遊技と、少なくとも１回以上は指示機能が作動可能で、該通常遊技より有利な有利区間の有利遊技があり、該有利遊技を最大数に至るまで連続して実行可能な遊技機において、外周面に複数種類の図柄が配置された複数の回胴と、遊技において役を内部抽選する役抽選手段と、遊技において複数の回胴を回転させ、各々の回胴に対応して設けられた停止スイッチの操作を受け付けて、対応する回胴を個々に停止させ、前記内部抽選の結果に応じて図柄を表示する制御を行う制御手段と、を具備し、前記有利遊技には、少なくとも特別遊技と有利区間の通常中遊技があり、該有利区間の通常中遊技では該特別遊技に当選する確率が前記通常遊技よりも高くなっており、前記有利遊技には、高確率遊技があり、該高確率遊技では前記特別遊技に当選する確率が前記有利区間の通常中遊技よりも高くなっており、前記制御手段は、前記報知遊技を終了して、前記通常遊技又は前記有利区間の通常中遊技へ移行させる場合、前記最大数に至るまでの残り有利遊技数を参照して、移行遊技先を決定することを特徴とする。
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
中央に押圧用凹部が設けられた容器本体と当該容器本体の取出口に脱着可能に装着される蓋部とを備える点眼容器を包装するためのシーリングラベルであって、前記蓋部の全部または一部を被覆する上部領域、前記容器本体の全部または一部を被覆する下部領域、および前記上部領域と下部領域との間に位置する切り取り領域を備え、前記切り取り領域と前記上部領域との境界および前記切り取り領域と前記下部領域との境界に切り取り線が設けられ、図形を含む第１識別表示が、前記下部領域のうち前記押圧用凹部を把持した状態で前記第１識別表示の形状を視認できる位置に付され、かつ、前記第１識別表示の前記図形と共通性を有する図形を含む第２識別表示が、前記上部領域、前記上部領域と前記切り取り領域とから構成される領域、または前記上部領域と前記切り取り領域と前記下部領域とから構成される領域に付され、前記切り取り領域が除去されて開封されたとき、前記下部領域が前記容器本体に付着したままであり、前記上部領域が前記蓋部に付着したままであることにより、前記蓋部と前記容器本体の一体性が識別可能となることを特徴とするシーリングラベル。
【請求項２】
前記第１識別表示が、前記下部領域に複数個付され、または／かつ、前記第２識別表示が、前記上部領域、前記上部領域と前記切り取り領域とから構成される領域、または前記上部領域と前記切り取り領域と前記下部領域とから構成される領域に複数個付される請求項１に記載のシーリングラベル。
【請求項３】
前記第２識別表示が前記第１識別表示よりも大きい請求項１または２に記載のシーリングラベル。
【請求項４】
請求項１から３のいずれか１項に記載のシーリングラベルで包装されていることを特徴とする点眼容器。 
【請求項５】
前記蓋部の天面に、前記シーリングラベルに付された前記第１識別表示の前記図形と共通性を有する図形を含む識別表示が設けられた請求項４に記載の点眼容器。
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
１次巻線及び２次巻線を有するトランスと、
前記トランスの前記１次巻線に直列に接続されたスイッチング素子と、
前記トランスの前記２次巻線に誘起された電圧に応じて、１次側にフィードバック電圧を出力するフィードバック手段と、
前記フィードバック電圧に基づいて、前記スイッチング素子をオン又はオフさせるスイッチング動作を制御する制御手段と、
を備え、
前記制御手段は、前記スイッチング動作の周波数を、前記フィードバック電圧に基づいて決定された周波数に応じた所定の範囲内及び所定の周期で変動させる第１の制御と、前記スイッチング動作の周波数を前記所定の範囲よりも狭い範囲で変動させる第２の制御と、を交互に繰り返すことを特徴とする電源装置。
【請求項２】
前記制御手段は、前記第２の制御において、前記スイッチング動作の周波数を前記決定された周波数に固定することを特徴とする請求項１に記載の電源装置。
【請求項３】
１次巻線及び２次巻線を有するトランスと、
前記トランスの前記１次巻線に直列に接続された第１のスイッチング素子と、
前記トランスの前記１次巻線に並列に接続された第２のスイッチング素子と、
前記第２のスイッチング素子に直列に接続され、前記第２のスイッチング素子とともに前記トランスの前記１次巻線に並列に接続されたコンデンサと、
前記トランスの前記２次巻線に誘起された電圧に応じて、１次側にフィードバック電圧を出力するフィードバック手段と、
前記フィードバック電圧に基づいて、前記第１のスイッチング素子及び前記第２のスイッチング素子のオン又はオフを制御する制御手段と、
を備え、
前記制御手段は、前記第１のスイッチング素子と前記第２のスイッチング素子をともにオフさせるデッドタイムを挟んで前記第１のスイッチング素子と前記第２のスイッチング素子を交互にオン又はオフさせるスイッチング動作を行う電源装置であって、
前記２次巻線から出力される出力電圧を第１の電圧とする第１の状態と、前記出力電圧を前記第１の電圧よりも低い第２の電圧とする第２の状態と、に切り替える切替手段を備え、
前記制御手段は、前記第１の状態において、前記スイッチング動作の周波数を、前記フィードバック電圧に基づいて決定された周波数に応じた所定の範囲内及び所定の周期で変動させる第１の制御と、前記スイッチング動作の周波数を前記所定の範囲よりも狭い範囲で変動させる第２の制御、または、前記スイッチング動作の周波数が一定の周波数となるように制御する第３の制御と、を交互に繰り返すことを特徴とする電源装置。
【請求項４】
前記制御手段は、前記第１の状態における前記第２の制御において、前記スイッチング動作の周波数を前記所定の範囲内における最も高い周波数に固定することを特徴とする請求項３に記載の電源装置。
【請求項５】
前記制御手段は、前記第２の状態において、前記第１の制御を行わないことを特徴とする請求項３又は請求項４に記載の電源装置。
【請求項６】
前記制御手段は、前記第２の状態における前記スイッチング動作の周期が、前記第１の状態における前記スイッチング動作の周期よりも長くなるように制御することを特徴とする請求項５に記載の電源装置。
【請求項７】
記録材に画像形成を行う画像形成手段と、
請求項１から請求項６のいずれか１項に記載の電源装置と、
を備えることを特徴とする画像形成装置。
【請求項８】
記録材に画像形成を行う画像形成手段と、
前記画像形成手段を制御するコントローラと、
請求項３から請求項６のいずれか１項に記載の電源装置と、
を備え、
前記コントローラは、前記切替手段により前記第１の状態と前記第２の状態を切り替えるための信号を前記電源装置に出力することを特徴とする画像形成装置。
【請求項９】
前記画像形成装置は、前記画像形成手段に電力が供給されているスタンバイモードと、前記画像形成手段に電力が供給されていないスリープモードとに切り換え可能であって、
前記コントローラは前記スリープモードで前記第２の状態に切り換えるための前記信号を前記電源装置に出力することを特徴とする請求項８に記載の電源装置。
【手続補正２】
【補正対象書類名】明細書
【補正対象項目名】０００７
【補正方法】変更
【補正の内容】
【０００７】
（１）１次巻線及び２次巻線を有するトランスと、前記トランスの前記１次巻線に直列に接続されたスイッチング素子と、前記トランスの前記２次巻線に誘起された電圧に応じて、１次側にフィードバック電圧を出力するフィードバック手段と、前記フィードバック電圧に基づいて、前記スイッチング素子をオン又はオフさせるスイッチング動作を制御する制御手段と、を備え、前記制御手段は、前記スイッチング動作の周波数を、前記フィードバック電圧に基づいて決定された周波数に応じた所定の範囲内及び所定の周期で変動させる第１の制御と、前記スイッチング動作の周波数を前記所定の範囲よりも狭い範囲で変動させる第２の制御と、を交互に繰り返すことを特徴とする電源装置。
（２）１次巻線及び２次巻線を有するトランスと、前記トランスの前記１次巻線に直列に接続された第１のスイッチング素子と、前記トランスの前記１次巻線に並列に接続された第２のスイッチング素子と、前記第２のスイッチング素子に直列に接続され、前記第２のスイッチング素子とともに前記トランスの前記１次巻線に並列に接続されたコンデンサと、前記トランスの前記２次巻線に誘起された電圧に応じて、１次側にフィードバック電圧を出力するフィードバック手段と、前記フィードバック電圧に基づいて、前記第１のスイッチング素子及び前記第２のスイッチング素子のオン又はオフを制御する制御手段と、を備え、前記制御手段は、前記第１のスイッチング素子と前記第２のスイッチング素子をともにオフさせるデッドタイムを挟んで前記第１のスイッチング素子と前記第２のスイッチング素子を交互にオン又はオフさせるスイッチング動作を行う電源装置であって、前記２次巻線から出力される出力電圧を第１の電圧とする第１の状態と、前記出力電圧を前記第１の電圧よりも低い第２の電圧とする第２の状態と、に切り替える切替手段を備え、前記制御手段は、前記第１の状態において、前記スイッチング動作の周波数を、前記フィードバック電圧に基づいて決定された周波数に応じた所定の範囲内及び所定の周期で変動させる第１の制御と、前記スイッチング動作の周波数を前記所定の範囲よりも狭い範囲で変動させる第２の制御、または、前記スイッチング動作の周波数が一定の周波数となるように制御する第３の制御と、を交互に繰り返すことを特徴とする電源装置。
（３）記録材に画像形成を行う画像形成手段と、前記（１）又は前記（２）に記載の電源装置と、を備えることを特徴とする画像形成装置。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】令和2年8月12日(2020.8.12)
【手続補正１】
【補正対象書類名】特許請求の範囲
【補正対象項目名】請求項２
【補正方法】変更
【補正の内容】
【請求項２】
前記二次電池は、移動が可能な機器に搭載されるとともに当該機器に電力を供給するものであり、
前記指令部は、記憶された前記ステータス情報に基づいて前記機器における稼働状況を推定し、推定した稼働状況に基づいて複数の二次電池の中から充電を制御する二次電池を選択することを特徴とする請求項１に記載の二次電池制御装置。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
（Ｂ）茶生葉の酸化酵素を不活化するための炒り蒸し工程と、（Ｃ）５０〜１５０℃の熱風に前記（Ｂ）炒り蒸し工程を経た茶葉を晒し、含水率を７１％未満３０％以上まで減少させるための第一乾燥工程と、（Ｄ）圧力を加えて前記（Ｃ）第一乾燥工程を経た茶葉内の水分分布を均一にしながら、前記茶葉を剪断及び破砕する圧搾粉砕工程と、（Ｅ）前記（Ｄ）圧搾粉砕工程を経た茶葉の塊を解す解砕工程と、（Ｆ）前記（Ｅ）解砕工程を経た茶葉の含水率を５％以下に減少させるための第二乾燥工程と、を含む緑茶の製造方法。
【請求項２】
前記（Ｂ）炒り蒸し工程の前工程に、（Ａ）茶生葉の含水率を７２％未満５０％以上まで減少させるための室温での萎凋工程を行う、請求項１に記載の緑茶の製造方法。
【請求項３】
前記（Ｂ）炒り蒸し工程が、３００〜４００℃に熱せられた円筒釜で前記茶生葉を炒りつつ、当該茶生葉から気化した水蒸気の潜熱を利用して、当該茶生葉の酸化酵素を不活化する工程である請求項１又は２記載の緑茶の製造方法。
【請求項４】
前記（Ｃ）第一乾燥工程が、金網製の円筒内で前記（Ｂ）炒り蒸し工程を経た茶葉を５０〜１５０℃の熱風に晒しつつ、円筒の回転、又は攫い手による前記茶葉の撹拌を行い、当該茶葉の含水率を減少させる工程である請求項１乃至３の何れかに記載の緑茶の製造方法。
【請求項５】
前記（Ｃ）第一乾燥工程が、前記（Ｂ）炒り蒸し工程の排熱を再利用する工程である請求項１乃至４の何れかに記載の緑茶の製造方法。
【請求項６】
前記（Ｄ）圧搾粉砕工程が、茶葉に圧力を加えつつ、カッターによる剪断、又は摩擦による破砕を行う粉砕機を使用する工程である請求項１乃至５の何れかに記載の緑茶の製造方法。
【請求項７】
前記（Ｅ）解砕工程が、等間隔に刃が装着された２組のロールから構成され、各ロールの刃が噛み合うように回転する解砕機を使用する工程である請求項１乃至６の何れかに記載の緑茶の製造方法。
【請求項８】
前記（Ｅ）解砕工程が、複数回の解砕を繰り返し、各回の解砕後に、乾燥及び篩分を行う工程である請求項１乃至６の何れかに記載の緑茶の製造方法。
【請求項９】
請求項１乃至８の何れかに記載の緑茶の製造方法で製造されることを特徴とする緑茶。
【手続補正２】
【補正対象書類名】明細書
【補正対象項目名】００１４
【補正方法】変更
【補正の内容】
【００１４】
（Ａ）萎凋工程
本発明における萎凋工程は、収穫された茶生葉を通風環境下で含水率７２％未満５０％以上、好ましくは６０〜５０％まで減少するまで、萎凋させる工程である。本工程により、茶生葉の含水率が減少し、その後の第一乾燥工程に要する時間を短縮でき、生産コストを低減することができる。本工程で用いる茶生葉は前記の通りだが、乾燥効率を高めるため、萎凋前に、適宜、茶生葉の切断を行っても良い。本工程は、茶生葉保管用の生葉管理機を用いるのが好ましく、また、萎凋中の茶生葉周辺の温度環境は室温である１０〜４０℃が好ましく、より好ましくは２０〜３０℃である。通風は、呼吸による茶生葉温度の上昇を防ぐために行い、通風サイクルは、常時通風でも良く、一定の休止時間を挟む断続的な通風でも良い。さらに、通風は任意の方向から行うことができる。また、環境温度が低い場合には、２０〜４０℃の温風を送風しても良い。
【手続補正３】
【補正対象書類名】明細書
【補正対象項目名】００１６
【補正方法】変更
【補正の内容】
【００１６】
（Ｃ）第一乾燥工程
本発明における第一乾燥工程は、その後の圧搾粉砕工程におけるスクリューによる押し出し、摩擦による破砕、そして、カッターによる剪断を円滑に行うため、且つ、その後の解砕工程で茶葉の塊を解しやすくするために、５０〜１５０℃の熱風に茶葉を晒し、茶葉の含水率を減少させる工程である。その後の圧搾粉砕工程で茶葉の含水率が高すぎると、茶葉から絞り出される水分が多く、圧搾粉砕工程後に塊になり易く、解砕することが難しくなる。逆に、茶葉の含水率が低すぎると、圧搾粉砕工程で、機械と茶葉の摩擦力が強まり、茶葉を押し出すことが出来なくなり、機械内部に詰まることがある。したがって、本工程では７１％未満３０％以上、好ましくは６０〜４０％、より好ましくは５０〜４０％まで、含水率を減少させる。本工程では、例えば、カワサキ機工社の蒸し葉処理機のように、５０〜１５０℃の熱風を供給できる金網製の回転式円筒、又は５０〜１５０℃の熱風を供給でき、円筒内で回転する葉攫い手を備えた固定式円筒を用いることができる。また、本工程における熱風発生機は、茶製造用問わず、通風乾燥機で用いられるような、火炉で加温した外気を送風ファンで送り出し、熱風として供給するものであり、さらに、前記炒り蒸し工程における回転式円筒釜の火炉から、排熱ダクトを通じて、前記炒り蒸し工程の排熱を再利用することができる。また、前記炒り蒸し工程の排熱を再利用時は、適宜、外気を供給して、熱風温度を安定させることができる。
【手続補正書】
【提出日】令和2年7月24日(2020.7.24)
【手続補正１】
【補正対象書類名】特許請求の範囲
【補正対象項目名】全文
【補正方法】変更
【補正の内容】
【特許請求の範囲】
【請求項１】
役の内部抽選でボーナス役が当選すると、該ボーナス役の内部当選状態になる遊技機において、
外周面に複数種類の図柄が配置された３つの回胴と、
遊技毎に、開始操作によって抽選条件が成立すると、役を内部抽選する役抽選手段と、
遊技毎に前記３つの回胴を回転させ、各々の回胴に対応して設けられた停止スイッチの操作を受け付けて、対応する回胴を個々に停止させ、前記内部抽選の結果に応じて図柄を表示する図柄表示制御手段と、
前記３つの回胴が全て停止したときの図柄の組合せ表示判定を行う判定手段と、
前記判定手段の判定結果に応じて遊技価値を付与する付与手段と、
前記遊技を実行する遊技実行手段と、
を具備し、
前記役抽選手段が内部抽選する役には押し順小役があり、該押し順小役は最初の正解操作順序が、左停止スイッチの左押し順小役と、中停止スイッチの中押し順小役と、右停止スイッチの右押し順小役があり、
前記左押し順小役を構成する小役には左小役及び左阻害小役を含み、入賞目的小役は該左小役であり、該左小役が入賞すると表示窓に小役明示図柄が一直線に表示され、前記付与手段は所定数の遊技価値を付与する一方、該左小役の入賞を阻害する小役は該左阻害小役であり、該左阻害小役が入賞すると、該付与手段は該所定数よりも少ない遊技価値を付与し、
前記中押し順小役を構成する小役には中小役及び中阻害小役を含み、入賞目的小役は該中小役であり、該中小役が入賞すると、前記付与手段は前記所定数の遊技価値を付与し、
前記右押し順小役を構成する小役には右小役及び右阻害小役を含み、入賞目的小役は該右小役であり、該右小役が入賞すると、前記付与手段は前記所定数の遊技価値を付与し、
前記左押し順小役が内部当選して、前記左小役及び前記左阻害小役が入賞可能になった場合において、
前記ボーナス役の内部当選状態でないときには、最初に前記左停止スイッチが操作されると、その後に第２停止操作及び第３停止操作によって、前記左小役が入賞可能である一方、前記ボーナス役の内部当選状態であるときには、最初に前記左停止スイッチが操作されると、その後に第２停止操作及び第３停止操作によって、前記左小役は入賞せずに、前記ボーナス役又は前記左阻害小役が入賞可能なこと、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、役の内部抽選でボーナス役が当選すると、該ボーナス役の内部当選状態になる遊技機において、外周面に複数種類の図柄が配置された３つの回胴と、遊技毎に、開始操作によって抽選条件が成立すると、役を内部抽選する役抽選手段と、遊技毎に前記３つの回胴を回転させ、各々の回胴に対応して設けられた停止スイッチの操作を受け付けて、対応する回胴を個々に停止させ、前記内部抽選の結果に応じて図柄を表示する図柄表示制御手段と、前記３つの回胴が全て停止したときの図柄の組合せ表示判定を行う判定手段と、前記判定手段の判定結果に応じて遊技価値を付与する付与手段と、前記遊技を実行する遊技実行手段と、を具備し、前記役抽選手段が内部抽選する役には押し順小役があり、該押し順小役は最初の正解操作順序が、左停止スイッチの左押し順小役と、中停止スイッチの中押し順小役と、右停止スイッチの右押し順小役があり、前記左押し順小役を構成する小役には左小役及び左阻害小役を含み、入賞目的小役は該左小役であり、該左小役が入賞すると表示窓に小役明示図柄が一直線に表示され、前記付与手段は所定数の遊技価値を付与する一方、該左小役の入賞を阻害する小役は該左阻害小役であり、該左阻害小役が入賞すると、該付与手段は該所定数よりも少ない遊技価値を付与し、前記中押し順小役を構成する小役には中小役及び中阻害小役を含み、入賞目的小役は該中小役であり、該中小役が入賞すると、前記付与手段は前記所定数の遊技価値を付与し、前記右押し順小役を構成する小役には右小役及び右阻害小役を含み、入賞目的小役は該右小役であり、該右小役が入賞すると、前記付与手段は前記所定数の遊技価値を付与し、前記左押し順小役が内部当選して、前記左小役及び前記左阻害小役が入賞可能になった場合において、前記ボーナス役の内部当選状態でないときには、最初に前記左停止スイッチが操作されると、その後に第２停止操作及び第３停止操作によって、前記左小役が入賞可能である一方、前記ボーナス役の内部当選状態であるときには、最初に前記左停止スイッチが操作されると、その後に第２停止操作及び第３停止操作によって、前記左小役は入賞せずに、前記ボーナス役又は前記左阻害小役が入賞可能なことを特徴とする。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数の回胴と、
遊技毎に、開始操作によって抽選条件が成立すると、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記遊技を実行する遊技実行手段と、
を具備し、
前記役抽選手段が内部抽選する役には押し順小役があり、該押し順小役は最初の正解操作順序が、左停止スイッチの左押し順小役と、中停止スイッチの中押し順小役と、右停止スイッチの右押し順小役があり、
前記左押し順小役を構成する入賞目的小役は左小役であり、該左小役が入賞すると表示窓の第１ラインに小役明示図柄が一直線に表示され、
前記中押し順小役を構成する入賞目的小役は中小役であり、該中小役が入賞すると表示窓の第２ラインに小役明示図柄が一直線に表示され、
前記右押し順小役を構成する入賞目的小役は右小役であり、該右小役が入賞すると表示窓の第３ラインに小役明示図柄が一直線に表示され、
前記第１ライン、前記第２ライン及び前記第３ラインは互いに異なっていること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、外周面に複数種類の図柄が配置された複数の回胴と、遊技毎に、開始操作によって抽選条件が成立すると、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記遊技を実行する遊技実行手段と、を具備し、前記役抽選手段が内部抽選する役には押し順小役があり、該押し順小役は最初の正解操作順序が、左停止スイッチの左押し順小役と、中停止スイッチの中押し順小役と、右停止スイッチの右押し順小役があり、前記左押し順小役を構成する入賞目的小役は左小役であり、該左小役が入賞すると表示窓の第１ラインに小役明示図柄が一直線に表示され、前記中押し順小役を構成する入賞目的小役は中小役であり、該中小役が入賞すると表示窓の第２ラインに小役明示図柄が一直線に表示され、前記右押し順小役を構成する入賞目的小役は右小役であり、該右小役が入賞すると表示窓の第３ラインに小役明示図柄が一直線に表示され、前記第１ライン、前記第２ライン及び前記第３ラインは互いに異なっていることを特徴とする。